(57)【要約】  ユーザ機器(UE)は、ネットワーク中で干渉を低減し、複数のユーザのランダムアクセスを改善し得る。いくつかの事例では、UEは、特定のガード期間中に受ける干渉を低減するようにタイミングアドバンスおよび/またはガード期間値を調整する。調整は、TD-SCDMAネットワーク中のフレームのガード期間中の干渉分布に少なくとも部分的に基づいてアップリンク同期についてのタイミングアドバンスパラメータを選択することに基づく。
2016500489.tif 000002
【特許請求の範囲】
【請求項１】
ワイヤレス通信の方法であって、
干渉分布情報を受信するステップと、
前記干渉分布情報に少なくとも部分的に基づいてアップリンク同期についてのタイミングアドバンスパラメータを選択するステップと、
前記選択されたタイミングアドバンスパラメータに従って通信するステップと
を含む、方法。
【請求項２】
前記干渉分布情報が、ネットワーク中の1つまたは複数のUEおよび/あるいは1つまたは複数のノードBからのアップリンクおよびダウンリンク送信によって生じたフレームのガード期間内の干渉に少なくとも部分的に基づく、請求項1に記載の方法。
【請求項３】
前記ガード期間を、各セクションが64N個のチップを含むN個の個別セクションに分割するステップをさらに含む、請求項2に記載の方法。
【請求項４】
前記N個の個別セクションのうちの少なくとも1つに基づいて前記タイミングアドバンスパラメータを選択するステップと、
前記N個の個別セクションのうちの前記少なくとも1つの各々に関連するランダムアクセス通信成功率を判断するステップと
をさらに含む、請求項3に記載の方法。
【請求項５】
前記ランダムアクセス通信成功率に基づいて前記タイミングアドバンスパラメータを選択するステップをさらに含む、請求項4に記載の方法。
【請求項６】
将来のタイミングアドバンス選択を実施するためのあらかじめ定義されたタイミングアドバンスパラメータ選択表を計算するステップをさらに含む、請求項4に記載の方法。
【請求項７】
前記あらかじめ定義されたタイミングアドバンスパラメータ選択表が、タイミングアドバンスごとに前記ランダムアクセス通信成功率を示す、請求項6に記載の方法。
【請求項８】
通信のための適切なタイミングアドバンスの識別まで、前記あらかじめ定義されたタイミングアドバンスパラメータ選択表上で1つまたは複数のタイミングアドバンスを連続的に選択するステップをさらに含む、請求項6に記載の方法。
【請求項９】
通信のための適切なタイミングアドバンスの識別まで、前記あらかじめ定義されたタイミングアドバンスパラメータ選択表上で1つまたは複数のタイミングアドバンスをランダムに選択するステップをさらに含む、請求項6に記載の方法。
【請求項１０】
タイミングアドバンスパラメータ選択表が動的に更新され、保存される、請求項6に記載の方法。
【請求項１１】
UEがアイドルモードにあるとき、前記UEにおける干渉を測定することによって前記干渉分布情報を判断するステップをさらに含む、請求項1に記載の方法。
【請求項１２】
ワイヤレス通信の装置であって、
少なくとも1つのプロセッサを含み、前記少なくとも1つのプロセッサが、
干渉分布情報を受信することと、
前記干渉分布情報に少なくとも部分的に基づいてアップリンク同期についてのタイミングアドバンスパラメータを選択することと、
前記選択されたタイミングアドバンスパラメータに従って通信することと
を行うように構成される、装置。
【請求項１３】
前記干渉分布情報が、ネットワーク中の1つまたは複数のUEおよび/あるいは1つまたは複数のノードBからのアップリンクおよびダウンリンク送信によって生じたフレームのガード期間内の干渉に少なくとも部分的に基づく、請求項12に記載の装置。
【請求項１４】
前記少なくとも1つのプロセッサが、前記ガード期間を、各セクションが64N個のチップを含むN個の個別セクションに分割するようにさらに構成される、請求項13に記載の装置。
【請求項１５】
前記少なくとも1つのプロセッサが、
前記N個の個別セクションのうちの少なくとも1つに基づいて前記タイミングアドバンスパラメータを選択することと、
前記N個の個別セクションのうちの前記少なくとも1つの各々に関連するランダムアクセス通信成功率を判断することと
を行うようにさらに構成される、請求項14に記載の装置。
【請求項１６】
前記少なくとも1つのプロセッサが、前記ランダムアクセス通信成功率に基づいて前記タイミングアドバンスパラメータを選択するようにさらに構成される、請求項15に記載の装置。
【請求項１７】
前記少なくとも1つのプロセッサが、将来のタイミングアドバンス選択を実施するためのあらかじめ定義されたタイミングアドバンスパラメータ選択表を計算するようにさらに構成される、請求項15に記載の装置。
【請求項１８】
前記あらかじめ定義されたタイミングアドバンスパラメータ選択表が、タイミングアドバンスごとに前記ランダムアクセス通信成功率を示す、請求項17に記載の装置。
【請求項１９】
前記少なくとも1つのプロセッサが、通信のための適切なタイミングアドバンスの識別まで、前記あらかじめ定義されたタイミングアドバンスパラメータ選択表上で1つまたは複数のタイミングアドバンスを連続的に選択するようにさらに構成される、請求項17に記載の装置。
【請求項２０】
前記少なくとも1つのプロセッサが、通信のための適切なタイミングアドバンスの識別まで、前記あらかじめ定義されたタイミングアドバンスパラメータ選択表上で1つまたは複数のタイミングアドバンスをランダムに選択するようにさらに構成される、請求項17に記載の装置。
【請求項２１】
タイミングアドバンスパラメータ選択表が動的に更新され、保存される、請求項17に記載の装置。
【請求項２２】
前記少なくとも1つのプロセッサは、UEがアイドルモードにあるとき、前記UEにおける干渉を測定することによって前記干渉分布情報を判断するようにさらに構成される、請求項12に記載の装置。
【請求項２３】
ワイヤレス通信の装置であって、
干渉分布情報を受信するための手段と、
前記干渉分布情報に少なくとも部分的に基づいてアップリンク同期についてのタイミングアドバンスパラメータを選択するための手段と、
前記選択されたタイミングアドバンスパラメータに従って通信するための手段と
を含む、装置。
【請求項２４】
コンピュータ可読記録媒体上に記憶されたコンピュータプログラムであって、
干渉分布情報を受信することと、
前記干渉分布情報に少なくとも部分的に基づいてアップリンク同期についてのタイミングアドバンスパラメータを選択することと、
前記選択されたタイミングアドバンスパラメータに従って通信することと
を行わせるためのコードを含む、コンピュータプログラム。
【発明の詳細な説明】
【技術分野】
【０００１】
米国特許法第119条に基づく優先権の主張
本特許出願は、本出願の譲受人に譲渡され、参照により本明細書に明確に組み込まれる、2012年12月10日に中国の受理官庁(RO/CN)に出願された「TIMING ADVANCE SELECTION FOR SYNCHRONIZED UPLINK TRANSMISSION」と題するPCT出願第PCT/CN/2012/086277号の優先権を主張する。
【０００２】
本開示の態様は、一般に、ワイヤレス通信システムに関し、より詳細には、アップリンク同期のためのタイミングアドバンスの選択を改善することに関する。
【背景技術】
【０００３】
電話、ビデオ、データ、メッセージング、ブロードキャストなどの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例としては、ユニバーサル地上波無線アクセスネットワーク(UTRAN:Universal Terrestrial Radio Access Network)がある。UTRANは、第3世代パートナーシッププロジェクト(3GPP)によってサポートされる第3世代(3G)モバイルフォン技術である、ユニバーサルモバイル通信システム(UMTS)の一部として定義される無線アクセスネットワーク(RAN)である。UMTSは、モバイル通信用グローバルシステム(GSM(登録商標))技術の後継であり、広帯域符号分割多元接続(W-CDMA(登録商標))、時分割符号分割多元接続(TD-CDMA)、および時分割同期符号分割多元接続(TD-SCDMA)などの様々なエアインターフェース規格を現在サポートしている。たとえば、中国は、既存のGSM(登録商標)インフラストラクチャをコアネットワークとして、UTRANアーキテクチャにおいて基礎となるエアインターフェースとしてTD-SCDMAを推進している。UMTSは、関連するUMTSネットワークのデータ転送の速度および容量を向上させる高速パケットアクセス(HSPA)などの拡張3Gデータ通信プロトコルもサポートする。HSPAは、2つのモバイルテレフォニープロトコル、すなわち高速ダウンリンクパケットアクセス(HSDPA)および高速アップリンクパケットアクセス(HSUPA)の集合であり、この集合により、既存の広帯域プロトコルの性能を拡張させ向上させる。
【０００４】
モバイルブロードバンドアクセスに対する要望が増し続けるにつれて、研究開発は、モバイルブロードバンドアクセスに対する高まる要望を満たすためだけでなく、モバイル通信によるユーザエクスペリエンスを進化させ向上させるためにも、UMTS技術を進化させ続けている。
【発明の概要】
【課題を解決するための手段】
【０００５】
以下では、1つまたは複数の態様を基本的に理解してもらうために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００６】
ユーザ機器(UE)は、ネットワーク中で干渉を低減し、複数のユーザのランダムアクセスを改善し得る。いくつかの事例では、UEは、特定のガード期間中に受ける干渉を低減するようにタイミングアドバンスおよび/またはガード期間値を調整する。調整は、TD-SCDMAネットワーク中のフレームのガード期間中の干渉分布に少なくとも部分的に基づいてアップリンク同期についてのタイミングアドバンスパラメータを選択することに基づく。
【０００７】
アップリンク同期のためのタイミングアドバンスの選択を改善するための方法を提供する。本方法は、干渉分布情報を受信するステップを含む。さらに、本方法は、干渉分布情報に少なくとも部分的に基づいてアップリンク同期についてのタイミングアドバンスパラメータを選択するステップを含む。さらに、本方法は、選択されたタイミングアドバンスパラメータに従って通信するステップを含む。
【０００８】
別の態様では、アップリンク同期のためのタイミングアドバンスの選択を改善するための装置を提供する。本装置は、干渉分布情報を受信するように構成されたプロセッサを含む。さらに、プロセッサは、干渉分布情報に少なくとも部分的に基づいてアップリンク同期についてのタイミングアドバンスパラメータを選択することを行うように構成される。さらに、プロセッサは、選択されたタイミングアドバンスパラメータに従って通信することを行うように構成される。
【０００９】
別の態様では、干渉分布情報を受信するための手段を含む、アップリンク同期のためのタイミングアドバンスの選択を改善するための装置を提供する。さらに、本装置は、干渉分布情報に少なくとも部分的に基づいてアップリンク同期についてのタイミングアドバンスパラメータを選択するための手段を含む。さらに、本装置は、選択されたタイミングアドバンスパラメータに従って通信するための手段を含む。
【００１０】
また別の態様では、干渉分布情報を受信するための機械実行可能コードを含む、アップリンク同期のためのタイミングアドバンスの選択を改善するためのコンピュータ可読媒体を提供する。さらに、コードは、干渉分布情報に少なくとも部分的に基づいてアップリンク同期についてのタイミングアドバンスパラメータを選択するための実行可能ファイルであり得る。さらに、コードは、選択されたタイミングアドバンスパラメータに従って通信するための実行可能ファイルであり得る。
【００１１】
上記の目的および関連する目的を達成するために、1つまたは複数の態様は、以下で十分に記載され、特許請求の範囲で具体的に指摘される特徴を含む。以下の説明および添付の図面は、1つまたは複数の態様のある特定の例示的な特徴を詳細に説明する。しかしながら、これらの特徴は、様々な態様の原理が採用され得る様々な方法のうちのいくつかを示すものにすぎず、この説明は、そのようなすべての態様およびそれらの等価物を含むものとする。
【図面の簡単な説明】
【００１２】
【図１】電気通信システムの一例を概念的に示すブロック図である。
【図２】電気通信システムのフレーム構造の一例を概念的に示すブロック図である。
【図３】電気通信システムにおいてUEと通信しているノードBの一例を概念的に示すブロック図である。
【図４】アップリンク同期のためのタイミングアドバンス実装形態を示す例示的なTD-SCDMAサブフレーム構造を示す図である。
【図５】ユーザ機器とノードBとの例示的なネットワーク展開を示すブロック図である。
【図６】順次に異なる時間に送信されるUPPCHならびにDwPTSによって搬送されるSYNC-ULのアップリンク送信を示すブロック図である。
【図７】ノードBによって観測される干渉を示す、ノードBの例示的なベースタイムラインとサブフレーム構造送信タイムラインとを示すブロック図である。
【図８】NB0によって観測される干渉を示す、ノードBの例示的なベースタイムラインとサブフレーム構造送信タイムラインとを示すブロック図である。
【図９】ワイヤレス通信システムにおける呼処理の例示的な態様を示す概略図である。
【図１０】本開示の一態様による、ノードB0の例示的なベースタイムラインとサブフレーム構造送信タイムラインとを示す図である。
【図１１】サブフレーム構造送信タイムラインに対して並置した、ノードBの例示的なベースタイムラインを示す図である。
【図１２】本開示の一態様による、タイミングアドバンス選択方法を示すブロック図である。
【図１３】本開示の一態様による、処理システムを採用する装置のためのハードウェア実装形態の一例を示す図である。
【発明を実施するための形態】
【００１３】
添付の図面に関連して下記に記載される詳細な説明は、様々な構成の説明として意図されており、本明細書に記載される概念が実践され得る唯一の構成を表すように意図されていない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１４】
次に図1を参照すると、電気通信システム100の一例を示すブロック図が示されている。本開示全体にわたって提示される様々な概念は、広範な電気通信システム、ネットワークアーキテクチャ、および通信規格にわたって実装され得る。限定はしないが、例として、TD-SCDMA規格を採用するUMTSシステムを参照して、図1に示す本開示の態様を提示する。この例では、UMTSシステムは、電話、ビデオ、データ、メッセージング、放送、および/または他のサービスを含む様々なワイヤレスサービスを提供する無線アクセスネットワーク(RAN)102(たとえば、UTRAN)を含む。RAN102は、無線ネットワークコントローラ(RNC)106などのRNCによって各々制御される、無線ネットワークサブシステム(RNS)107などの複数のRNSに分割され得る。明快のために、RNC106およびRNS107のみを示しているが、RAN102は、RNC106およびRNS107に加えて、任意の数のRNCおよびRNSを含み得る。RNC106は、とりわけ、RNS107内の無線リソースを割り当て、再構成し、解放することを担う装置である。RNC106は、任意の適切なトランスポートネットワークを使用して、直接の物理接続、仮想ネットワークなどの様々なタイプのインターフェースを通じて、RAN102中の他のRNC(図示せず)に相互接続され得る。
【００１５】
RNS107によってカバーされる地理的領域は、いくつかのセルに分割され得、無線トランシーバ装置が各セルをサービスする。無線トランシーバ装置は、通常、UMTS用途ではノードBと呼ばれるが、当業者によって、基地局(BS)、送受信基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快のために、2つのノードB108が示されているが、RNS107は、任意の数のワイヤレスノードBを含み得る。ノードB108は、任意の数のモバイル装置にコアネットワーク104へのワイヤレスアクセスポイントを与える。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオ装置、デジタルオーディオプレーヤ(たとえば、MP3プレーヤ)、カメラ、ゲーム機、または任意の他の類似の機能デバイスがある。モバイル装置は、通常、UMTS用途ではユーザ機器(UE)と呼ばれるが、当業者によって、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、または何らかの他の適切な用語で呼ばれることもある。説明のために、3つのUE110がノードB108と通信しているように示されている。順方向リンクとも呼ばれるダウンリンク(DL)は、ノードBからUEへの通信リンクを指し、逆方向リンクとも呼ばれるアップリンク(UL)は、UEからノードBへの通信リンクを指す。
【００１６】
コアネットワーク104は、図示のように、GSM(登録商標)コアネットワークを含む。しかしながら、当業者が認識するように、GSM(登録商標)ネットワーク以外のタイプのコアネットワークへのアクセスをUEに提供するために、本開示全体にわたって提示される様々な概念は、RANまたは他の適切なアクセスネットワークにおいて実装され得る。
【００１７】
この例では、コアネットワーク104は、モバイル交換センタ(MSC)112およびゲートウェイMSC(GMSC)114によって回線交換サービスをサポートする。RNC106などの1つまたは複数のRNCが、MSC112に接続され得る。MSC112は、呼設定、呼ルーティング、およびUEモビリティ機能を制御する装置である。MSC112は、UEがMSC112のカバレッジエリア中にある間に加入者関連の情報を格納するビジターロケーションレジスタ(VLR)(図示せず)をも含む。GMSC114は、UEが回線交換ネットワーク116にアクセスするための、MSC112を通じたゲートウェイを提供する。GMSC114は、特定のユーザが加入したサービスの詳細を反映するデータのような加入者データを格納する、ホームロケーションレジスタ(HLR)(図示せず)を含む。HLRはまた、加入者固有の認証データを収容する認証センタ(AuC)に関連付けられる。特定のUEについて、呼が受信されると、GMSC114は、UEの位置を決定するためにHLRに問い合わせ、その位置でサービスする特定のMSCに呼を転送する。
【００１８】
コアネットワーク104はまた、サービングGPRSサポートノード(SGSN)118およびゲートウェイGPRSサポートノード(GGSN)120によって、パケットデータサービスをサポートする。General Packet Radio Serviceを表すGPRSは、標準のGSM(登録商標)回線交換データサービスで利用可能なものより速い速度でパケットデータサービスを提供するように設計されている。GGSN120は、パケットベースネットワーク122へのRAN102の接続を提供する。パケットベースネットワーク122は、インターネット、プライベートデータネットワーク、または何らかの他の適切なパケットベースネットワークであり得る。GGSN120の主な機能は、UE110にパケットベースネットワーク接続を提供することである。データパケットは、MSC112が回線交換領域において実行するのと同じ機能をパケットベース領域において主に実行するSGSN118を通じて、GGSN120とUE110との間で転送される。
【００１９】
UMTSエアインターフェースは、スペクトラム拡散直接シーケンス符号分割多元接続(DS-CDMA)システムである。スペクトラム拡散DS-CDMAは、チップと呼ばれる一連の疑似ランダムビットとの乗算によって、はるかに広い帯域幅にわたってユーザデータを拡散させる。TD-SCDMA規格は、そのような直接シーケンススペクトラム拡散技術に基づいており、さらに、多くの周波数分割複信(FDD)モードのUMTS/W-CDMA(登録商標)システムにおいて使用されるようなFDDではなく、時分割複信(TDD)を必要とする。TDDは、ノードB108とUE110との間のアップリンク(UL)とダウンリンク(DL)の両方で同じキャリア周波数を使用するが、アップリンク送信およびダウンリンク送信を、キャリア中の異なるタイムスロットへと分割する。
【００２０】
図2に、TD-SCDMAキャリアのフレーム構造200を示す。TD-SCDMAキャリアは、図示のように、長さが10msであるフレーム202を有する。TD-SCDMAのチップレートは、1.28Mcpsである。フレーム202は、2つの5msのサブフレーム204を有し、サブフレーム204の各々は7つのタイムスロット、TS0〜TS6を含む。第1のタイムスロット、TS0は通常、ダウンリンク通信のために割り振られ、一方で第2のタイムスロット、TS1は通常、アップリンク通信のために割り振られる。残りのタイムスロット、TS2〜TS6は、アップリンクまたはダウンリンクのいずれかに使用され得、それにより、アップリンク方向またはダウンリンク方向のいずれかでデータ送信時間がより長い時間帯の柔軟性を高めることが可能になる。TS0とTS1との間に、ダウンリンクパイロットタイムスロット(DwPTS)206、ガード期間(GP)208、およびアップリンクパイロットタイムスロット(UpPTS)210(アップリンクパイロットチャネル(UpPCH)とも呼ばれる)が位置する。各タイムスロット、TS0〜TS6により、最大16個のコードチャネルで多重化されたデータ送信が可能になり得る。コードチャネルでのデータ送信は、ミッドアンブル214(144チップの長さを有する)によって分離された2つのデータ部分212(各々は352チップの長さを有する)と、後続するガード期間(GP)216(16チップの長さを有する)とを含む。ミッドアンブル214は、チャネル推定などの特徴のために使用され得、一方、ガード期間216はバースト間干渉を回避するために使用され得る。また、データ部分では、同期シフト(SS)ビット218を含む何らかの層1制御情報が送信される。同期シフトビット218は、データ部分の第2の部分にのみ現れる。ミッドアンブルの直後の同期シフトビット218は、シフトを減らす、シフトを増やす、またはアップロード送信タイミングにおいて何もしない、という3つのケースを示すことができる。SSビット218の位置は一般に、アップリンク通信中には使用されない。
【００２１】
図3は、RAN300においてUE350と通信しているノードB310のブロック図であり、RAN300は図1のRAN102であり得、ノードB310は図1のノードB108であり得、UE350は図1のUE110であり得る。ダウンリンク通信では、送信プロセッサ320は、データソース312からデータを受信し、コントローラ/プロセッサ340から制御信号を受信し得る。送信プロセッサ320は、データ信号および制御信号ならびに基準信号(たとえば、パイロット信号)のための様々な信号処理機能を提供する。たとえば、送信プロセッサ320は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を提供し得る。チャネルプロセッサ344からのチャネル推定値は、コントローラ/プロセッサ340によって送信プロセッサ320のためのコーディング方式、変調方式、拡散方式、および/またはスクランブリング方式を判断するために使用され得る。これらのチャネル推定値は、UE350によって送信される基準信号から導出され得るか、またはUE350からのミッドアンブル214(図2)に含まれているフィードバックから導出され得る。送信プロセッサ320によって生成されたシンボルは、フレーム構造を作成するために、送信フレームプロセッサ330に与えられる。送信フレームプロセッサ330は、コントローラ/プロセッサ340からのミッドアンブル214(図2)とシンボルとを多重化することによって、このフレーム構造を作成し、一連のフレームを生じる。これらのフレームは、次いで、送信機332に与えられ、送信機332は、スマートアンテナ334を通じたワイヤレス媒体によるダウンリンク送信のために、増幅、フィルタリング、およびフレームのキャリア上への変調を含む、様々な信号調整機能を提供する。スマートアンテナ334は、ビームステアリング双方向適応アンテナアレイまたは他の同様のビーム技術で実装され得る。
【００２２】
UE350において、受信機354は、アンテナ352を通じてダウンリンク送信を受信し、その送信を処理してキャリア上に変調された情報を復元する。受信機354によって回復された情報は、受信フレームプロセッサ360に与えられ、受信フレームプロセッサ360は、各フレームを解析し、ミッドアンブル214(図2)をチャネルプロセッサ394に提供し、データ信号、制御信号、および基準信号を受信プロセッサ370に提供する。受信プロセッサ370は次いで、ノードB310中の送信プロセッサ320によって実行される処理の逆を実行する。より詳細には、受信プロセッサ370は、シンボルを逆スクランブルおよび逆拡散し、次いで変調方式に基づいて、ノードB310によって送信された、最も可能性の高い信号コンステレーション点を求める。これらの軟判定は、チャネルプロセッサ394によって計算されるチャネル推定に基づき得る。そして軟判定は、データ信号、制御信号、および基準信号を回復するために、復号されてデインターリーブされる。次いで、フレームの復号に成功したかどうかを判断するために、CRCコードが検査される。次いで、復号に成功したフレームによって搬送されたデータがデータシンク372に供給され、データシンク372は、UE350および/または様々なユーザインターフェース(たとえば、ディスプレイ)において実行されているアプリケーションを表す。復号に成功したフレームが搬送する制御信号は、コントローラ/プロセッサ390に与えられる。受信プロセッサ370によるフレームの復号が失敗すると、コントローラ/プロセッサ390はまた、確認応答(ACK)プロトコルおよび/または否定応答(NACK)プロトコルを使用して、そうしたフレームの再送信要求をサポートし得る。
【００２３】
アップリンクでは、データソース378からのデータおよびコントローラ/プロセッサ390からの制御信号が、送信プロセッサ380に与えられる。データソース378は、UE350で実行されているアプリケーションおよび様々なユーザインターフェース(たとえばキーボード)を表し得る。ノードB310によるダウンリンク送信に関して説明される機能と同様に、送信プロセッサ380は、CRCコード、FECを容易にするための符号化およびインターリービング、信号コンステレーションへのマッピング、OVSFによる拡散、および、一連のシンボルを生成するためのスクランブリングを含む、様々な信号処理機能を提供する。ノードB310によって送信される基準信号から、または、ノードB310によって送信されるミッドアンブル中に含まれるフィードバックから、チャネルプロセッサ394によって導出されるチャネル推定値が、適切な符号化方式、変調方式、拡散方式、および/またはスクランブリング方式を選択するために使用され得る。送信プロセッサ380によって生成されたシンボルは、フレーム構造を作成するために、送信フレームプロセッサ382に与えられる。送信フレームプロセッサ382は、コントローラ/プロセッサ390からのミッドアンブル214(図2)とシンボルとを多重化することによって、このフレーム構造を作成し、一連のフレームを生じる。次いで、このフレームは送信機356に供給され、送信機356は、アンテナ352を介したワイヤレス媒体によるアップリンク送信のために、増幅、フィルタリング、およびフレームのキャリア上への変調を含む、様々な信号調整機能を提供する。
【００２４】
アップリンク送信は、UE350において受信機機能に関して説明されたのと同様の方式で、ノードB310において処理される。受信機335は、アンテナ334を通じてアップリンク送信を受信し、その送信を処理してキャリア上へ変調されている情報を復元する。受信機335によって回復された情報は、受信フレームプロセッサ336に与えられ、受信フレームプロセッサ336は、各フレームを解析し、ミッドアンブル214(図2)をチャネルプロセッサ344に提供し、データ信号、制御信号、および基準信号を受信プロセッサ338に提供する。受信プロセッサ338は、UE350中の送信プロセッサ380によって実行された処理の逆を実行する。次いで、復号に成功したフレームによって搬送されるデータ信号および制御信号が、データシンク339およびコントローラ/プロセッサにそれぞれ与えられ得る。フレームの一部が、受信プロセッサによる復号に失敗すると、コントローラ/プロセッサ340はまた、確認応答(ACK)プロトコルおよび/または否定応答(NACK)プロトコルを使用して、そうしたフレームの再送信要求をサポートし得る。
【００２５】
コントローラ/プロセッサ340および390は、それぞれノードB310およびUE350における動作を指示するために使用され得る。たとえば、コントローラ/プロセッサ340および390は、タイミング、周辺インターフェース、電圧調整、電力管理、および他の制御機能を含む、様々な機能を提供し得る。メモリ342および392のコンピュータ可読媒体は、それぞれ、ノードB310およびUE350のためのデータおよびソフトウェアを記憶し得る。たとえば、UE350のメモリ392は、タイミングアドバンス選択モジュール391を記憶し得、タイミングアドバンス選択モジュール391は、コントローラ/プロセッサ390によって実行されたとき、RAT間/周波数間測定のためにUE350を構成する。ノードB310にあるスケジューラ/プロセッサ346は、リソースをUEに割り振り、UE用のダウンリンク送信および/またはアップリンク送信をスケジュールするために使用され得る。
【００２６】
同期アップリンク送信のためのタイミングアドバンス選択
いくつかのTD-SCDMAプロトコルは、アップリンク送信タイミングを前進させるための方法を与える。最初に、ランダムアクセス手順において、UEは、アップリンクパイロットタイムスロット(UpPTS)上で同期アップリンク(SYNC_UL)コードを送り、ノードBは、タイミング情報を測定し、それを高速物理アクセスチャネル(FPACH)上でUEに送る。高速物理アクセスチャネルメッセージフォーマットは、UEにおけるタイミングアドバンス値を最初に判断するためにUpPCHパラメータの受信された開始位置が使用され得るように構成され得る。
【００２７】
図4は、アップリンク同期のためのタイミングアドバンス実装形態を示すための例示的なTD-SCDMAサブフレーム構造を示すブロック図400である。第1のサブフレーム構造402は、TS0とTS1との間に位置する第1のDwPTS406Aと、第1のガード期間(GP)408Aと、第2のガード期間(GP)410Aと、第1のUpPTS412A(アップリンクパイロットチャネル(UpPCH)とも呼ばれる)とを含む。第2のサブフレーム構造404は、TS0とTS1との間に位置する第2のDwPTS406Bと、第3のガード期間408Bと、第4のガード期間(GP)410Bと、第2のUpPTS412Bとを含む。述べたように、ダウンリンク同期のためにDwPTSが使用され、アップリンク同期のためにUpPTSが使用される。
【００２８】
第1のUpPTS412Aは、128チップの同期アップリンクシーケンス(SYNC-UL)を含んでおり、第2のガード期間410Aは32チップである。TD-SCDMAシステムにおけるSYNC-ULは、ランダムアクセス手順での識別のために使用される。ガード期間は、スイッチングポイントである。たとえば、ガード期間408Aおよび408Bは、サブフレーム構造402または404内で送信することから受信することへのスイッチングポイントである。第1のガード期間408Aの持続時間は96チップであり、そこから、11.2キロメートル(km)の基本セル半径が導出され得る。各ガード期間408A、408B、410Aまたは410Bは、アップリンクおよびダウンリンク干渉を回避するのに十分な長さであるべきである。たとえば、第2のUpPTS412Bの送信は、アップリンクおよびダウンリンク干渉を低減するのに十分な長さである48チップの第2のガード期間408Bを維持しながら、第2のDwPTS406Bから最大48チップ前進され得る。第2のガード期間408Bに関連するタイムラインは、ノードBのベースタイムラインと見なされ得る。ノードBにおける到着時間を協調するためのアップリンク送信の制御は、受信されたダウンリンク10msフレーム時間に対して10ms長のフレームのUEのアップリンク送信を適切に前進させるためにUEによって実行され得る。この前進をタイミングアドバンス(TA)と呼ぶ。
【００２９】
TD-SCDMAでは、アップリンクおよびダウンリンク送信は、ノードBにおいて同期される。図5および図6に示すように、ユーザ機器、UE1、UE2、UE3、UE4のアップリンク送信とノードB、NB0のノードB、NB1、NB2およびNB3へのダウンリンク送信とが協調され得る。
【００３０】
図5は、同期ノードB、NB0から異なる距離に配設されたユーザ機器ならびにノードBの例示的なネットワーク展開を示すブロック図500である。UEからのNB0におけるアップリンク送信(たとえば、UpPCHによって搬送されるSYNC-UL)ならびにNB1、NB2およびNB3からのダウンリンク送信(たとえば、DwPTS)の到着時間は、NB0からのノードならびにユーザ機器の距離に基づき得る。たとえば、NB0の最も近くにあるUE1は、NB0から最も遠くにある(すなわち、11キロメートル(km)離れている)UE4よりも前に送信し得る。したがって、UE4のSYNC-ULの送信は、UE1のSYNC-ULよりも後にNB0に到着する。同様に、他のノードBからのDwPTSは、異なる時間に順次にNB0によって受信され得る。たとえば、NB0の最も近くにある(NB0から1km離れている)NB1のためのDwPTSは、NB0から最も遠くにある(NB0から11km離れている)NB3のためのDwPTSよりも前の時間にNB0によって受信され得る。したがって、いくつかの明細書では、NB1〜3は同時に送信するが、UEは、NB0のタイムラインに関して異なる時間にSYNC-ULを送信する。したがって、UE1〜4の送信SYNC-ULは、往復遅延でNB0に到着し、NB1〜3からの送信信号は、片方向遅延でNB0に到着する。
【００３１】
さらに、UE1に関連するタイミングアドバンスは、48チップのガード期間に対応し得るNB0のベースタイムラインのタイミングアドバンスに対応し得る。複数のユーザ機器およびノードBがNB0にアクセスするので、それらのデバイスの各々のためのガード期間は、他のユーザ機器およびノードBに関連するアップリンクおよびダウンリンク送信によって生じた干渉を受け得る。
【００３２】
図6は、UpPCH1〜UpPCH4によって搬送されるSYNC-ULのUE1〜4からの受信(RX)アップリンク送信ならびにNB1〜3による受信DwPTSのNB0が受ける相対タイミング差を示すブロック図600である。たとえば、UE1からのUpPCH1によって搬送されるSYNC-ULとUE2からのUpPCH2によって搬送されるSYNC-ULとは、異なる時間にNB0に到着する。同様に、NB1によって送信されたDwPTSは、NB3によって送信されたDwPTSとは異なる時間にNB0によって受信される。また、図5に示したNB0と他のデバイスとの間の通信の相対電力を図6に示す。図6に示すように、図示のサブフレームの相対的高さは、そのような通信の相対電力を(一定の縮尺でなく)示し、(UE4またはNB3などの)より遠いデバイスとの通信は、(UE1またはNB1などの)より近くのデバイスとの通信よりも電力が少なくなる。いくつかの構成では、NB1〜3の電力は、補正を有しない。したがって、NB1〜3に関連するNB0における受信電力は、NB0からのNB1、NB2またはNB3の距離に応じて大きい差を有する。対照的に、UE1〜4の電力は、経路損失補正の対象となる。したがって、UE1〜4の受信電力の差は、低減され、NB0からのUE1〜4の距離に依存する可能性は低くなる。
【００３３】
図7は、48チップの初期タイミングアドバンス選択に従ってNB0によって観測される干渉を示す、ノードBの例示的なベースタイムライン702とサブフレーム構造送信タイムライン704とを示すブロック図700である。サブフレーム構造送信タイムライン702に従ってスケジュールされるアップリンクおよび/またはダウンリンク送信は、ノードBと別のデバイスとの間の通信であり得るサブフレーム構造送信タイムライン704による干渉を受け得る。DwPTS706AとUpPTS712Aとの間の第1のガード期間708Aに対応するサブフレーム構造送信タイムライン704の第2のガード期間708Bは、48チップの初期タイミングアドバンスに対応する48チップである。第3のガード期間710Aは、80チップである。図7に示すように、第2のガード期間708Bは、第2のガード期間708Bに及ぶ干渉信号714によって示される干渉を受ける。干渉は、第2のガード期間708B内に分布し得る。サブフレーム構造送信タイムライン704の第2のガード期間708B中に分布する干渉は、DwPTSおよびSYNC-ULの様々な遅延によって生じた干渉から構成され得る。
【００３４】
図8は、24チップの初期タイミングアドバンス選択に従ってNB0によって観測される干渉を示す、ノードBの例示的なベースタイムラインとサブフレーム構造送信タイムラインとを示すブロック図である。図7中の例と同様に、サブフレーム構造送信タイムライン804に従ってスケジュールされるアップリンクおよび/またはダウンリンク送信は、干渉を受け得る。DwPTS806AとUpPTS812Aとの間の第1のガード期間808Aに対応するサブフレーム構造送信タイムライン804の第2のガード期間808Bは、24チップの初期タイミングアドバンスに対応する72チップである。第3のガード期間810Aは、56チップである。図8に示すように、第2のガード期間808Bは、第2のガード期間808Bに及ぶ信号814によって示される干渉を受ける。図7および図8に示すように、タイミングアドバンスおよび/またはガード期間値は、特定のガード期間中に受ける干渉を低減するように調整され得る。
【００３５】
ネットワーク中で干渉を低減し、複数のユーザのランダムアクセスを改善するための方法およびシステムを提供する。本開示の一態様は、DwPTSとUpPTSとの間の第1のガード期間間の干渉分布を分析し、干渉分布に基づいてタイミングアドバンスを選択する。より良い初期タイミングアドバンスを選択することは、ガード期間における干渉を低減し、SYNC-ULの信号対雑音比を改善し、それによって、UEパフォーマンスを改善し得る。
【００３６】
図9を参照すると、本装置および方法の一態様では、ワイヤレス通信システム900は、NB0を含むネットワーク912とUE914との間のワイヤレス通信を含むように構成される。ワイヤレス通信システムは、何人かのユーザ間の通信をサポートするように構成され得る。図9に、ネットワーク912がUE914と通信する方法を示す。ワイヤレス通信システム900は、ネットワーク912とUE914との間に上/下の矢印によって表されるように、ワイヤレスリンク925を介したダウンリンクメッセージ送信またはアップリンクメッセージ送信のために構成され得る。
【００３７】
一態様では、UE914内に、呼処理構成要素940が存在する。呼処理構成要素940は、特に、干渉分布情報を受信することが可能な受信構成要素942を含むように構成され得る。たとえば、UE914の呼処理構成要素940中に常駐する受信構成要素942は、ワイヤレスリンク925を介してネットワーク912から干渉分布情報943を受信するように構成される。
【００３８】
別の態様では、呼処理構成要素940は、干渉分布情報に少なくとも部分的に基づいて、アップリンク同期についてのタイミングアドバンスパラメータを選択するように構成された選択構成要素944を含むように構成され得る。たとえば、選択構成要素944は、干渉分布情報943に少なくとも部分的に基づいてアップリンク同期についてのタイミングアドバンスパラメータ945を選択するように構成される。
【００３９】
別の態様では、呼処理構成要素940は、選択されたタイミングアドバンスパラメータに従って通信するように構成された通信構成要素946を含むように構成され得る。たとえば、通信構成要素946は、UE914が、選択されたタイミングアドバンスパラメータ945に従ってネットワーク912と通信することができるように構成される。
【００４０】
一態様では、たとえば、ワイヤレス通信システム900のUE914は、UE350(図3)によって実行され得、メモリ392および/またはコントローラ/プロセッサ390あるいはそれらのそれぞれの構成要素を含み得る。
【００４１】
図10は、干渉を緩和するための1つまたは複数の初期タイミングアドバンスの選択を示すノードBの例示的なベースタイムライン1002とサブフレーム構造送信タイムライン1004とを示すブロック図1000である。図7の実装形態と同様に、図10の実装形態は、48チップの初期タイミングアドバンスに基づく。この態様では、干渉を低減するために1つまたは複数のタイミングアドバンスが選択され得る。干渉は、48チップの初期タイミングアドバンスに基づいて第2のガード期間1008Bに及ぶ干渉信号1014によって示され得る。この態様では、第2のガード期間1008Bに関連する干渉を緩和するために、サブフレーム構造送信タイムライン1004上のSYNC-ULの位置を調整するために異なる初期タイミングアドバンスが選択され得る。一態様では、ノードB1002のベースタイムラインの第1のガード期間1008Aに対して第2のガード期間1008Bを増加させるようにタイミングアドバンスが選択され得、タイミングアドバンスは、48チップの初期タイミングアドバンスに対応する。たとえば、第2のガード期間1008Bは、初期タイミングアドバンスをX1だけ減少させることとともに、48チップから48+X1チップに増加され得る。タイミングアドバンスをX1チップだけ低減することは、第1のガード期間1008A中ではなく第2のガード期間1008B中の干渉に適応するためにサブフレーム構造送信タイムライン1004上のSYNC-UL1を前進させる。同様に、タイミングアドバンスをX2チップだけまたはX3チップだけ低減することは、サブフレーム構造送信タイムライン1004上のSYNC-UL2またはSYNC-UL3を、それぞれ、48+X2チップおよび48+X3チップ前進させる。第2のガード期間1008Bのサイズは標準の96チップガード期間からの調整であるので、タイミングアドバンスは、UpPTSの後の32チップのガード期間のために、第2のガード期間1008Bを最大96+32チップ、計128チップ拡大するように選択され得る。
【００４２】
この態様では、第1のガード期間1008A中のSYNC-UL3に関連する低減された信号対雑音比のために、SYNC-UL2およびSYNC-UL1に関連するタイミングアドバンスに基づいて送信することよりも、SYNC-UL3に関連する低減されたタイミングアドバンスに基づいて送信することが望ましいことがある。信号対雑音電力分析の例示的な一例は以下の通りである。
・ビジートラフィック環境かつ初期タイミングアドバンス=UpPCHシフトのない48チップと仮定する。
・SNR1=Ps1/Pi1であり、式中、SNR1は、48-X1チップの低減されたタイミングアドバンスに従って送信することの信号対雑音比であり、Ps1は、SYNC-UL1受信電力であり、Pi1は、干渉電力である。
・SNR2=Ps2/Pi2であり、式中、SNR2は、48-X2チップの低減されたタイミングアドバンスに従って送信することの信号対雑音比であり、Ps2は、SYNC-UL2受信電力であり、Pi2は、干渉電力である。
・SNR3=Ps3/Pi3であり、式中、SNR3は、48-X3チップの低減されたタイミングアドバンスに従って送信することの信号対雑音比であり、Ps3は、SYNC-UL3受信電力であり、Pi3は、干渉電力である。
・Pi3<Pi2<Pi1を仮定すると、(UE経路損失補正アルゴリズムにより)Ps3=Ps1=Ps2であり、したがって、SNR3>SNR1>SNR2である。
【００４３】
図11は、サブフレーム構造送信タイムライン1104に対して並置した、ノードBの例示的なベースタイムライン1102を示すブロック図1100である。図8の実装形態と同様に、図11の実装形態は、24チップの初期タイミングアドバンスに基づく。この態様では、第2のガード期間1108Bに関連する干渉を緩和するために、サブフレーム構造送信タイムライン1104上のSYNC-ULの位置を調整するために増加されたタイミングアドバンスが選択され得る。一態様では、ノードB1102のベースタイムラインの第1のガード期間1108Aに対して第2のガード期間1108Bを減少させるようにタイミングアドバンスが選択され得、タイミングアドバンスは、24チップの初期タイミングアドバンスに対応する。たとえば、第2のガード期間1108Bは、初期タイミングアドバンスをXだけ増加させることによって、48チップから72-Xチップに減少され得る。干渉状態に適応するために、48チップよりも大きい他のタイミングアドバンス選択が適切であり得る。
【００４４】
一態様では、タイミングアドバンスは、干渉分布に基づいて選択される。したがって、DwPTSとUpPTSとの間の96チップのガード期間間の干渉分布が分析され得る。干渉分布に基づいて、干渉に適応するようにタイミングアドバンスが選択され得る。一態様では、干渉分布は、UEとは無関係に分析され得る。この態様では、UEは、干渉分布分析に基づいて干渉分布情報を受信するように構成され得る。タイミングアドバンスは、受信された干渉分布情報に基づいて選択され得る。
【００４５】
一態様では、ノードBは、96チップのガード期間間の干渉を測定し、UEに干渉情報をブロードキャストする。UEは、SYNC-ULを送信するための干渉を低減するために、ブロードキャストされた干渉情報に基づいてタイミングアドバンスを選択し得る。
【００４６】
別の態様では、UEはまた、通常ならば非アクティブである期間中に潜在的な干渉をリッスンし得る。UEは、この期間中に識別された干渉を取り上げ、次いで、この干渉分布にタイミングアドバンスの基礎をおき得る。
【００４７】
一態様では、48+16チップのガード期間は、各セクションが64/Nチップを含むN個の個別セクションに分割される。個別セクションの1つまたは複数が初期タイミングアドバンスとして選択され得、ランダムアクセス成功/失敗率は、1つまたは複数のタイミングアドバンスの各々の選択に基づいて監視され得る。たとえば、ランダム化を定義する際に、48チップおよび24チップなどの2つのセクションがあると仮定し、ここで、48チップの成功率が1であり、24チップの成功率が0.1である。48チップの初期タイミングアドバンスを選択することに失敗した後の場合、成功率は、フィルタによって(たとえば、0.1のフィルタ係数によって)更新される。その後、48チップのタイミングアドバンスを選択することの成功率は0.9になる。実際、48チップを選択することの成功率(=0.9)が、24チップを選択することの成功率(=0.1)よりも高い場合でも、選定される次のタイミングアドバンスは24となる。したがって、すべての可能なタイミングアドバンスは、すでに選択されているタイミングアドバンスが選定される前の成功率に基づいて選定される。ランダム化の他の形態には、コイントスまたは順次トライがあり得る。
【００４８】
また、監視の結果に基づいて1つまたは複数の個別セクションに関連するタイミングアドバンスが選択され得る。たとえば、SYNC-ULを送信するために、より良い成功率をもつ個別セクションのタイミングアドバンスが選択され得る。一態様では、96チップのガード期間中の干渉分布は、UEの動作中またはフィールドテスト中に測定され得る。測定結果は、1つまたは複数のタイミングアドバンスを含むあらかじめ定義されたタイミングアドバンス選択表に実装され得る。各タイミングアドバンスのランダムアクセス成功率は、あらかじめ定義されたタイミングアドバンス選択表中で示され得る。タイミングアドバンスは、将来の使用のためのあらかじめ定義されたタイミングアドバンス選択表から選択され得る。本開示の一態様では、干渉は、UEがアイドルモードにあるときに測定され得る。ある時間期間にわたって測定した後に平均干渉分布が生成され得る。ランダムアクセス通信では、UEは、SyncULプロシージャが成功するまで、あらかじめ定義されたタイミングアドバンス選択表上の1つまたは複数のタイミングアドバンスを連続的に選択するかまたはランダムに選択し得る。あらかじめ定義されたタイミングアドバンス選択表は、上記の動作中に動的に更新され、保存されることに留意されたい。
【００４９】
図12に、本開示の一態様によるワイヤレス通信方法1200を示す。1202において、方法1200は、干渉分布情報を受信するステップを含む。たとえば、図9を参照しながら上述したように、UE914の受信構成要素942は、ワイヤレスリンク925を介してネットワーク912から干渉分布情報943を受信するように構成される。
【００５０】
1204において、干渉分布情報に少なくとも部分的に基づいてアップリンク同期についてのタイミングアドバンスパラメータを選択するステップを行う。たとえば、ネットワーク912から干渉分布情報943を受信した後に、UE914の選択構成要素944は、干渉分布情報943に少なくとも部分的に基づいてネットワーク912へのアップリンク同期についてのタイミングアドバンスパラメータ945を選択するように構成される。
【００５１】
1206において、選択されたタイミングアドバンスパラメータに従って通信するステップを行う。たとえば、ネットワーク912へのアップリンク同期についてのタイミングアドバンスパラメータ945を選択した後に、通信構成要素946は、UE914が、選択されたタイミングアドバンスパラメータ945に従ってネットワーク912と通信することができるように構成される。
【００５２】
一態様では、たとえば、方法1200を実行するUE914は、UE350(図3)によって実行され得、メモリ392および/またはコントローラ/プロセッサ390あるいはそれらのそれぞれの構成要素を含み得る。
【００５３】
図13は、タイミングアドバンス選択システム1314を採用する装置1300のためのハードウェア実装の一例を示す図である。タイミングアドバンス選択システム1314は、バス1324によって概略的に表されるバスアーキテクチャを用いて実装され得る。バス1324は、タイミングアドバンス選択システム1314の特定の適用例および全体的な設計制約に応じて、任意の数の相互接続バスおよびブリッジを含み得る。バス1324は、プロセッサ1322によって表される1つまたは複数のプロセッサおよび/あるいはハードウェアモジュール、受信モジュール1302、選択モジュール1304、通信モジュール1306、ならびにコンピュータ可読媒体1326を含む、様々な回路を互いにリンクさせる。バス1324は、タイミングソース、周辺機器、電圧調整器、および電力管理回路などの様々な他の回路をリンクさせることもできるが、これらの回路は当技術分野でよく知られており、したがってこれ以上は記載しない。
【００５４】
装置は、トランシーバ1330に結合されたタイミングアドバンス選択システム1314を含む。トランシーバ1330は、1つまたは複数のアンテナ1320に結合される。トランシーバ1330は、伝送媒体を介した様々な他の装置との通信を可能にする。タイミングアドバンス選択システム1314は、コンピュータ可読媒体1326に結合されたプロセッサ1322を含む。プロセッサ1322は、コンピュータ可読媒体1326上に記憶されたソフトウェアの実行を含む全般的な処理を担う。ソフトウェアは、プロセッサ1322によって実行されたとき、任意の特定の装置について説明した様々な機能をタイミングアドバンス選択システム1314に実行させる。コンピュータ可読媒体1326は、ソフトウェアを実行するときにプロセッサ1322によって操作されるデータを記憶するためにも使用され得る。
【００５５】
タイミングアドバンス選択システム1314は、TD-SCDMAネットワーク中のフレームのガード期間中の干渉分布情報に少なくとも部分的に基づいてアップリンク同期についてのタイミングアドバンスパラメータを選択するための選択モジュール1304を含む。タイミングアドバンス選択システム1314は、選択されたタイミングアドバンスパラメータに従って通信するための通信モジュール1306を含む。モジュールは、コンピュータ可読媒体1326に存在する/記憶される、プロセッサ1322において動作するソフトウェアモジュール、プロセッサ1322に結合された1つもしくは複数のハードウェアモジュール、またはそれらの何らかの組合せであり得る。タイミングアドバンス選択システム1314は、UE350の構成要素であり得、メモリ392、および/またはコントローラ/プロセッサ390を含み得る。
【００５６】
一構成では、UEなどの装置は、選択するための手段を含むワイヤレス通信のために構成される。一態様では、上記の手段は、上述の手段によって具陳された機能を実行するように構成されたコントローラ/プロセッサ390、メモリ392、受信フレームプロセッサ360、送信フレームプロセッサ382、受信プロセッサ370、送信プロセッサ380、タイミングアドバンス選択モジュール391、選択モジュール1304、および/またはタイミングアドバンス選択システム1314であり得る。別の態様では、上述の手段は、上述の手段によって具陳された機能を実行するように構成されたモジュールまたは任意の装置であり得る。
【００５７】
一構成では、UEなどの装置は、選択するための手段を含むワイヤレス通信のために構成される。一態様では、上記の手段は、上述の手段によって具陳された機能を実行するように構成されたコントローラ/プロセッサ390、メモリ392、タイミングアドバンス選択モジュール391、選択モジュール1304、および/またはタイミングアドバンス選択システム1314であり得る。別の態様では、上述の手段は、上述の手段によって具陳された機能を実行するように構成されたモジュールまたは任意の装置であり得る。
【００５８】
TD-SCDMAシステムに関して、電気通信システムのいくつかの態様を提示した。当業者なら容易に諒解するように、本開示全体にわたって説明した様々な態様は、他の通信システム、ネットワークアーキテクチャおよび通信規格に拡張され得る。例として、様々な態様は、他のUMTSシステム、たとえばW-CDMA(登録商標)、High Speed Downlink Packet Access(HSDPA)、High Speed Uplink Packet Access(HSUPA)、High Speed Packet Access Plus(HSPA+)およびTD-CDMAに拡張され得る。様々な態様はまた、(FDD、TDD、または両方のモードの)ロングタームエボリューション(LTE(登録商標))、(FDD、TDD、または両方のモードの)LTEアドバンスト(LTE-A)、CDMA2000、エボリューションデータオプティマイズド(EV-DO)、ウルトラモバイルブロードバンド(UMB)、IEEE802.11(Wi-Fi)、IEEE802.16(WiMAX)、IEEE802.20、ウルトラワイドバンド(UWB)、Bluetooth(登録商標)、および/または他の適切なシステムを採用するシステムに拡張され得る。採用される実際の遠隔通信規格、ネットワークアーキテクチャ、および/または通信規格は、具体的な用途およびシステム全体に課される設計制約に依存することになる。
【００５９】
様々な装置および方法に関連して、いくつかのプロセッサについて説明した。これらのプロセッサは、電子ハードウェア、コンピュータソフトウェア、またはそれらの任意の組合せを使用して実装され得る。そのようなプロセッサがハードウェアとして実装されるか、またはソフトウェアとして実装されるかは、特定の適用例および全体的なシステムに課される設計制約に依存することになる。例として、本開示で提示されるプロセッサ、プロセッサの任意の部分、または、プロセッサの任意の組合せは、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および、本開示全体にわたって説明する様々な機能を実行するように構成された他の適切な処理構成要素で実装され得る。本開示で提示されるプロセッサ、プロセッサの任意の部分、またはプロセッサの任意の組合せの機能は、マイクロプロセッサ、マイクロコントローラ、DSP、または他の適切なプラットフォームによって実行されているソフトウェアで実装され得る。
【００６０】
ソフトウェアは、ソフトウェア、ファームウェア、ミドルウェア、マイクロコード、ハードウェア記述言語と呼ばれるか、または他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体上に常駐し得る。コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多用途ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、またはリムーバブルディスクのようなメモリを含み得る。メモリは、本開示全体にわたって提示した様々な態様ではプロセッサとは別個に示されているが、メモリはプロセッサの内部にあり得る(たとえば、キャッシュまたはレジスタ)。
【００６１】
コンピュータ可読媒体はコンピュータプログラム製品で具体化され得る。例として、コンピュータプログラム製品は、パッケージング材料中のコンピュータ可読媒体を含み得る。当業者なら、特定の適用例およびシステム全体に課される全体的な設計制約に応じて、どのようにしたら本開示全体にわたって提示する説明した機能を最善の形で実装することができるかを認識されよう。
【００６２】
開示した方法中のステップの特定の順序または階層は例示的なプロセスの一例であることを理解されたい。設計上の選好に基づいて、方法におけるステップの特定の順序または階層は再構成可能であることを理解されたい。添付の方法クレームは、様々なステップの要素を例示的な順序で提示したものであり、それらの請求項に特に記載されていない限り、提示された特定の順序または階層に限定されるものではない。
【００６３】
上記の説明は、本明細書に記載された様々な態様をいかなる当業者でも実施することを可能にするために提供した。これらの態様に対する様々な修正が当業者には容易に明らかとなり、本明細書で定義する一般的な原理は、他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を指す。項目の列挙「のうちの少なくとも1つ」という語句は、単一の要素を含め、それらの項目の任意の組合せを指す。一例として、「a、bまたはcのうちの少なくとも1つ」は、「a」、「b」、「c」、「aおよびb」、「aおよびc」、「bおよびc」、および「a、bおよびc」を含むことが意図されている。当業者が知っているか、または後に知ることになる、本開示全体にわたって説明された様々な態様の要素と構造的にかつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されるべきではない。
【符号の説明】
【００６４】
100  電気通信システム
102  無線アクセスネットワーク、RAN
104  コアネットワーク
106  無線ネットワークコントローラ、RNC
107  ネットワークサブシステム、RNS
108  ノードB
110  ユーザ機器、UE
112  モバイル交換センタ、MSC
114  ゲートウェイMSC、GMSC
116  回線交換ネットワーク
118  サービングGPRSサポートノード、SGSN
120  ゲートウェイGPRSサポートノード、GGSN
122  パケットベースネットワーク
200  フレーム構造
202  フレーム
204  5msのサブフレーム、サブフレーム
206  ダウンリンクパイロットタイムスロット、DwPTS
208  ガード期間、GP
210  アップリンクパイロットタイムスロット、UpPTS
212  データ部分、データ
214  ミッドアンブル
216  ガード期間、GP
218  同期化シフトビット、SSビット、同期化シフト
300  RAN
310  ノードB
312  データソース
320  送信プロセッサ
330  送信フレームプロセッサ
332  送信機
334  スマートアンテナ、アンテナ
335  受信機
336  受信フレームプロセッサ
338  受信プロセッサ
339  データシンク
340  コントローラ/プロセッサ
342  メモリ
344  チャネルプロセッサ
346  スケジューラ/プロセッサ
350  UE
352  アンテナ
354  受信機
356  送信機
360  受信フレームプロセッサ
370  受信プロセッサ
372  データシンク
378  データソース
380  送信プロセッサ
382  送信フレームプロセッサ
390  コントローラ/プロセッサ
391  タイミングアドバンス選択モジュール
392  メモリ
394  チャネルプロセッサ
400  ブロック図
402  第1のサブフレーム構造、サブフレーム構造
404  第2のサブフレーム構造、サブフレーム構造
406A  第1のDwPTS
406B  第2のDwPTS
408A  第1のガード期間(GP)、ガード期間、第1のガード期間
408B  ガード期間、第3のガード期間
410A  第2のガード期間(GP)、第2のガード期間、ガード期間
410B  第4のガード期間(GP)、ガード期間
412A  第1のUpPTS
412B  第2のUpPTS
500  ブロック図
600  ブロック図
700  ブロック図
702  ノードBの例示的なベースタイムライン、サブフレーム構造送信タイムライン
704  サブフレーム構造送信タイムライン
706A  DwPTS
708A  第1のガード期間
708B  第2のガード期間
710A  第3のガード期間
712A  UpPTS
714  干渉信号
804  サブフレーム構造送信タイムライン
806A  DwPTS
808A  第1のガード期間
808B  第2のガード期間
810A  第3のガード期間
812A  UpPTS
814  信号
900  ワイヤレス通信システム
912  ネットワーク
914  UE
925  ワイヤレスリンク
940  呼処理構成要素
942  受信構成要素
943  干渉分布情報
944  選択構成要素
945  タイミングアドバンスパラメータ
946  通信構成要素
1000  ブロック図
1004  サブフレーム構造送信タイムライン
1008A  第1のガード期間
1008B  第2のガード期間
1014  干渉信号
1100  ブロック図
1102  例示的なベースタイムライン、ノードのベースタイムラインB
1104  サブフレーム構造送信タイムライン
1108A  第1のガード期間
1108B  第2のガード期間
1300  装置
1302  受信モジュール
1304  選択モジュール
1306  通信モジュール
1314  タイミングアドバンス選択システム、処理システム
1320  アンテナ
1322  プロセッサ
1324  バス
1326  コンピュータ可読媒体
1330  トランシーバ
【図１】
2016500489.tif 000003
【図２】
2016500489.tif 000004
【図３】
2016500489.tif 000005
【図４】
2016500489.tif 000006
【図５】
2016500489.tif 000007
【図６】
2016500489.tif 000008
【図７】
2016500489.tif 000009
【図８】
2016500489.tif 000010
【図９】
2016500489.tif 000011
【図１０】
2016500489.tif 000012
【図１１】
2016500489.tif 000013
【図１２】
2016500489.tif 000014
【図１３】
2016500489.tif 000015
【国際調査報告】
2016500489.tif 000016
2016500489.tif 000017